(57)【特許請求の範囲】
【請求項１】
外側容器と内側容器とでなる容器本体と、蓋部材とで構成される２重構造即席焼きそば容器であって、前記外側容器の底部と内側容器の底部の間に空隙を設け、該空隙に高分子吸水体を納置し、前記内側容器の底部に複数の湯切り用穴もしくはスリットを設け、内側容器の底部外面に前記湯切り用穴もしくはスリットを覆うようにテープ部材を貼設し、該テープ部材の先端は引出し可能に配設してなり、
前記テープ部材は、内側容器の底端部近傍から相対する他の底端部近傍まで貼設され、さらに該他の底端部近傍で下方に折り曲げ反転され前記内側容器の底端部を通り、外部に引出すように配設され、引き出された部分を引出し用摘まみ片とすることを特徴とする２重構造即席焼きそば容器。
【発明の詳細な説明】
【０００１】
【発明の属する技術分野】
本発明は、熱湯を注いで後、その湯を切って食する即席焼きそばの容器に関するものであり、さらに詳しくは、衛生的で効率的な湯切り機能を有する容器に関する。
【０００２】
【従来の技術】
従来より、カップ麺などのように熱湯を注いで、規定の時間が経過した後に食する即席食品類が知られ、その中で、即席焼きそばの場合は、即席カップラーメンや即席カップうどんなどのように注いだ湯を汁として残すのと異なり、注いだ湯を残湯として容器の蓋をしっかり抑えながら容器を傾け、容器のフランジ部コーナーあるいは蓋のコーナーの湯切り穴より捨てる所謂湯切りしてから食するものであり、例えば、残湯の捨て場のない事務所等では流し場等まで捨てにゆく煩わしさがあった。また、自販機の傍や野外などの排水設備のないところで残湯を捨てることは非常に不衛生的で問題のあるものであった。
【０００３】
上記問題点を解消するものとして、例えば実開平２−１０５８８７号公報に開示されている即席食品用容器は、図５に示すように、蓋部材（５０）と、合成樹脂製の内容器（２）と外容器（３）よりなる容器本体とより構成され、前記両容器（２、３）の間に高吸水性物質（５）を介在させ、内容器の底の適宜な位置に突出部（７）を設けてその体部の回りに肉薄部分（７ｓ）を形成したもので、この突出部（７）を動かすことによって、前記肉薄部分（７ｓ）に亀裂が出来、前記突出部（７）を取り去ることで、液体すなわち残湯を排出する貫通孔が設けられ、残湯が高吸水性物質（５）に吸収保持されるようになっている。
【０００４】
しかしながら、上記考案の即席食品用容器では、突出部（７）と適性な厚さの肉薄部分（７ｓ）を形成する技術が必要であり、特に、肉薄部分（７ｓ）の厚さのバラツキで突出部（７）が取り去り得なかったり、不意の力で肉薄部分（７ｓ）が破れたりするという問題があった。
【０００５】
また、上記同公報に、図６に示すように、内容器（２）の周囲の１側部に溝条（８）を設け、該溝条（８）の底部を内容器（２）の底より低くし、その底部に貫通孔が容易に作成し得るように肉薄部（９）を形成したものが事例として開示されていて、前記肉薄部（９）を例えば尖鋭な突部を有するフォークなどによって突き刺し穴をあける仕組みとなっている。
【０００６】
しかしながら、上記事例の即席食品用容器では、適性な厚さの肉薄部（９）を形成する技術を要することと、フォーク等を付帯道具として用意する必要があった。
【０００７】
【発明が解決しようとする課題】
本発明は、かかる従来技術の問題点を解決するものであり、その課題とするところは、熱湯を注いで規定の時間経過後、その残湯を切って食する即席焼きそばの容器において、いかなる場所でも衛生的で容易に湯切りが可能な即席焼きそば容器を提供することにある。
【０００８】
【課題を解決するための手段】
本発明に於いて上記課題を達成するために、以下のようにしたものである。
【０００９】
すなわち、請求項１の発明では、外側容器と内側容器とでなる容器本体と、蓋部材とで構成される２重構造即席焼きそば容器であって、前記外側容器の底部と内側容器の底部の間に空隙を設け、該空隙に高分子吸水体を納置し、前記内側容器の底部に複数の湯切り用穴もしくはスリットを設け、内側容器の底部外面に前記湯切り用穴もしくはスリットを覆うようにテープ部材を貼設し、該テープ部材の先端は引出し可能に配設してなり、
前記テープ部材は、内側容器の底端部近傍から相対する他の底端部近傍まで貼設され、さらに該他の底端部近傍で下方に折り曲げ反転され前記内側容器の底端部を通り、外部に引出すように配設され、引き出された部分を引出し用摘まみ片とすることを特徴とする２重構造即席焼きそば容器としたものである。
【００１０】
【発明の実施の形態】
以下本発明の実施の形態を説明する。
本発明の２重構造即席焼きそば容器は、図１に示すように、外側容器（１０）と内側容器（２０）とでなる容器本体と、蓋部材（５０）とで構成される２重構造即席焼きそば容器（１）であって、前記外側容器（１０）の底部（１２）と内側容器の底部（２２）の間に空隙（７０）を設け、該空隙（７０）に高分子吸水体（４０）を納置し、前記内側容器の底部（２２）に複数の湯切り用穴もしくはスリット（３０）を設け、内側容器の底部外面（２２ａ）に前記湯切り用穴もしくはスリット（３０）を覆うようにテープ部材（６０）を貼設し、そのテープ部材（６０）の先端を引出し可能なように配設してなることを特徴とするものである。
【００１１】
上記テープ部材（６０）を引出し可能にするため、例えば図１に示すように、内側容器（２０）のフランジ部（２６）に引出し用スリット（３２）を設けることもできる。
【００１２】
また、図１に示すように、上記テープ部材（６０）は、フィルム引出し用スリット（３２）側にある内側容器の底端部（２８）から相対するたの他の底端部（２８ｂ）まで湯切り用穴もしくはスリット（３０）を覆うように貼設され、さらに該他の底端部（２８ｂ）で下方に折り曲げ反転され前記内側容器の底端部（２８）を通り、内側容器（２０）のフランジ部（２６）に設けられたフィルム引出し用スリット（３２）を通過するように配設され、フィルム引出し用スリット（３２）より先の先端部を引出し用摘まみ片（６２）とするものである。
【００１３】
以上のような構成の２重構造即席焼きそば容器（１）とすることによって、即席焼きそばを食するにあたり、残湯の湯切りは、図２に示すように、テープ部材（６０）の先端にある引出し用摘まみ片（６２）を摘んでフィルム引出し用スリット（３２）より引出すと、内側容器の底部外面（２２ａ）に貼設されているテープ部材（６０）が、図１に示す内側容器の他の底端部（２８ｂ）より剥離されはじめ、内側容器の底端部（２８）まで剥離されると、内側容器の底部（２２）に穿設された湯切り用穴もしくはスリット（３０）より残湯が空隙（７０）に落下し、空隙（７０）に納設された高分子吸水体（４０）に吸収されてなされるもので、いかなる場所でも衛生的でかつ容易に湯切りが可能な２重構造即席焼きそば容器（１）とすることができる。
【００１４】
上記のように残湯を吸収した高分子吸水体（４０）は、内容物である焼きそば（８０）を保温する効果もあり、使用後は容器とともに、所定の場所（廃棄物置場）に衛生的に、安全に廃棄することができる。
【００１５】
上記内側容器の底部（２２）の湯切り用穴もしくはスリット（３０）の部分をそれ以外の底より低くするとより、より早く確実に湯切りを完了することもできる。
【００１６】
また、上記フィルム引出し用スリット（３２）の位置は、図２に示すように、四角状容器の場合はフランジ部（２６）コーナーでも良く、そのいずれか一辺に設けてもよく特に限定するものではない。また、図３に示すように、楕円形状容器の場合は、長手方向の円周フランジ部に設けると湯切り用穴もしくはスリットの数を多くできる等のメリットがあり好ましいが、この場合も特に限定するものではない。
【００１７】
また、外側容器（１０）と内側容器（２０）の一体化は、図１に示すように、外側容器（１０）のフランジ部（１６）と内側容器（２０）のフランジ部（２６）を全周にわたって接着してなされるものである。
【００１８】
本発明の２重構造即席焼きそば容器（１）を構成る内側容器（２０）の材料としては、ポリプロピレンやポリスチレンを用いることができ、また、外側容器（１０）の材料としては、断熱を考慮したＰＳＰ（汎用ポリスチレンを脂肪族炭化水素で発泡させたシート）を用いるもので、両容器（２０、１０）とも真空成形もしくは圧空成形法により得ることができる。
【００１９】
また、テープ部材（６０）としては、例えば厚さ１２μｍ程度のポリエチレンテレフタレート（ＰＥＴ）フィルムに、厚さ３０μｍのＣＭＰＳ（ポリエチレン系のイージーピールフィルム（東セロ社製））をラミネートしたものが好適に用いられ、このＣＭＰＳ面を内側容器の底部外面（２２ａ）に貼設するものであるが、特にこれら材料や構成に限定するものではなく、イージーピール性を有するものであればいかなるものでも使用可能である。
【００２０】
また、高分子吸水体（４０）としては、ポリウレタンを発泡させたポリウレタンフォーム、特に軟質フォームのシートが良好な吸水性を持つことから好んで使用できる。また、図４に示すように、不織布製の袋（７２）に上記高分子吸水体（４０）を入れたものを使用することもできる。
【００２１】
【発明の効果】
本発明は以上の構成であるから、下記に示す如き効果がある。
即ち、外側容器と内側容器と蓋部材とで構成される２重構造即席焼きそば容器であって、前記外側容器の底部と内側容器の底部の間に空隙を設け、該空隙に高分子吸水体を納置し、前記内側容器の底部に複数の湯切り用穴もしくはスリットを設け、内側容器の底部外面に前記湯切り用穴もしくはスリットを覆うようにイージーピール性を有するテープ部材を貼設してなる容器とし、前記テープ部材は、フィルム引出し用スリット側にある内側容器の底端部から相対するたの他の底端部まで湯切り用穴もしくはスリットを覆うように貼設され、さらに該他の底端部で下方に折り曲げ反転され前記内側容器の底端部を通り、フィルム引出し用スリットを通過するように配設され、フィルム引出し用スリットより先の先端部を引出し用摘まみ片とすることによって、即席焼きそばを食するにあたり、残湯の湯切りは、テープ部材の先端にある引出し用摘まみ片を摘んでフィルム引出し用スリットより引出すことにより、テープ部材を容易に剥離され、湯切り用穴もしくはスリットより残湯が高分子吸水体に吸収されるので、いかなる場所でも衛生的で、かつ容易に湯切りが可能な２重構造即席焼きそば容器とすることができる。
【００２２】
従って本発明は、即席焼きそばの如き残湯の湯切りを要する容器として、優れた実用上の効果を発揮する。
【図面の簡単な説明】
【図１】本発明の２重構造即席焼きそば容器の一実施の形態を側断面で表した説明図である。
【図２】本発明の２重構造即席焼きそば容器の一実施の形態を説明するための斜視図である。
【図３】本発明の２重構造即席焼きそば容器の他の一実施の形態を説明する斜視図である。
【図４】本発明の２重構造即席焼きそば容器を構成する高分子吸水体の一実施の形態を説明する斜視図である。
【図５】従来の即席食品容器の一事例の形態を側断面で表した説明図である。
【図６】従来の即席食品容器の他の一事例の形態を側断面で表した説明図である。
【符号の説明】
１‥‥２重構造即席焼きそば容器（１）
２‥‥内容器
３‥‥外容器
５‥‥高吸収性物質
７‥‥突出部
７ｓ‥‥肉薄部分
８‥‥溝条
９‥‥肉薄部
１０‥‥外側容器
１２‥‥外側容器の底部
１６‥‥外側容器のフランジ部
２０‥‥内側容器
２２‥‥内側容器の底部
２２ａ‥‥内側容器の底部外面
２４‥‥内側容器の側壁部
２６‥‥内側容器のフランジ部
２８‥‥内側容器の底端部
２８ｂ‥‥内側容器の他の底端部
３０‥‥湯切り用穴もしくはスリット
３２‥‥フィルム引出し用スリット
４０‥‥高分子吸水体
５０‥‥蓋部材
６０‥‥テープ部材
６２‥‥引出し用摘まみ片
７０‥‥空隙
７２‥‥不織布製の袋
８０‥‥即席焼きそば
【図１】
0004240609.tif 000002
【図２】
0004240609.tif 000003
【図３】
0004240609.tif 000004
【図４】
0004240609.tif 000005
【図５】
0004240609.tif 000006
【図６】
0004240609.tif 000007